(57)【特許請求の範囲】
【請求項１】
本体の前面上部に前面吸込口を、上面前部に上面前部吸込口を夫々設けるとともに、上面後部に上面ルーバを備えた上面後部吸込口を設け、下面前部に上下風向変更板を備えた前部吹出口を、下面中央に上下風向変更板を備えた後部吹出口を夫々設け、これら吸込口と吹出口とを結ぶ空気通路に、同空気通路の中央部から下位部までを前後に区画し、前記前面吸込口及び前記上面前部吸込口と前記前部吹出口とを結ぶ前部空気通路と、前記上面後部吸込口と前記後部吹出口とを結ぶ後部空気通路とを形成する仕切体を設け、前記前部空気通路に前部熱交換器と前部送風ファンとを、前記後部空気通路に後部熱交換器と後部送風ファンとを夫々設ける一方、前記仕切体の上方に、前記前部空気通路と前記後部空気通路とを遮蔽あるいは連通させる開閉体を設けてなり、
除湿運転時、前記開閉体により前記前部空気通路と前記後部空気通路とを連通させる一方、前記上面ルーバにより前記上面後部吸込口を遮蔽し、前記上下風向変更板により前記前部吹出口を遮蔽して、前記前面吸込口及び前記上面前部吸込口から吸込まれた空気が、前記前部熱交換器と前記後部熱交換器とを経て前記後部送風ファンにより前記後部吹出口から室内に送出されるようにする一方、前記前部熱交換器を、吸込まれた空気を冷却してその表面に含有される水分を凝縮させる蒸発器として作動させ、前記後部熱交換器を、冷却された空気を再加熱する凝縮器として作動させてなることを特徴とする空気調和機。
【請求項２】
前記前部熱交換器の熱交換容量が、前記後部熱交換器の熱交換容量より上回るように設けられてなることを特徴とする請求項１に記載の空気調和機。
【請求項３】
前記開閉体が、上端に設けた軸を中心として上方に回動することにより、前記前部空気通路と前記後部空気通路とを連通させ、下方に回動することにより遮蔽してなることを特徴とする請求項１に記載の空気調和機。
【請求項４】
冷暖房運転時、前記開閉体が、前記前部空気通路と前記後部空気通路とを遮蔽してなることを特徴とする請求項３に記載の空気調和機。
【請求項５】
冷暖房運転時、前記前部熱交換器と前記前部送風ファンあるいは前記後部熱交換器と前記後部送風ファンのいずれか一方が作動するようにしてなることを特徴とする請求項４に記載の空気調和機。
【発明の詳細な説明】
【０００１】
【発明の属する技術分野】
本発明は、空気調和機に係わり、より詳細には、除湿運転時に吹出口から温度ムラのない再熱された空気を吹出せるようにした構造に関する。
【０００２】
【従来の技術】
従来の空気調和機は、図３で示すように、ベース３０の前面に前面パネル３１を装着して本体を構成し、前記前面パネル３１に前面吸込口３２ａを形成した吸込グリル３２を着脱自在に設けている。前記前面パネル３１の上面には上面吸込口３３が形成され、前面下部には風向変更板３４ａを備えた吹出口３４が設けられており、前記前面吸込口３２ａ及び前記上面吸込口３３と、前記吹出口３４とを結ぶ空気通路には、垂直部３５ａと、同垂直部３５ａの上端を折曲して後方に傾斜させた後方傾斜部３５ｂと、同後方傾斜部３５ｂの上端を折曲して下方に傾斜させた前方傾斜部３５ｃとからなる熱交換器３５と、同熱交換器３５で熱交換器された空気を前記吹出口３４から室内に送出する送風ファン３６とが設けられている。
【０００３】
除湿運転時、室内を冷却しないように、例えば前記熱交換器３５の前方傾斜部３５ｃは吸込まれた空気を加熱する再熱器として使用される。前記前面吸込口３２ａ及び前記上面吸込口３３から吸込まれた室内の空気は前記垂直部３５ａ及び前記後方傾斜部３５ｂにより冷却され、これらの表面に含有する水分を凝縮させる。続いて、前記上面吸込口３３から吸込まれ前記前方傾斜部３５ｃにより加熱された空気と混合して、前記送風ファン３６により前記吹出口３４から室内に送出されるようになっている。
【０００４】
しかしながら、前記垂直部３５ａ及び前記後方傾斜部３５ｂにより冷却された空気を、前記前方傾斜部３５ｃにより加熱された空気と混合して前記吹出口３４から送出することにより、吹出される空気の温度が均一とならず、所謂温度ムラが生じ、使用者に対し不快感を与えてしまうという問題があった。
【０００５】
【発明が解決しようとする課題】
本発明は上記問題点に鑑み、除湿運転時、吹出口から温度の均一な、所謂温度ムラのない再熱された空気を吹出せるようにした空気調和機を提供することを目的とする。
【０００６】
【課題を解決するための手段】
本発明は上記課題を解決するため、本体の前面上部に前面吸込口を、上面前部に上面前部吸込口を夫々設けるとともに、上面後部に上面ルーバを備えた上面後部吸込口を設け、下面前部に上下風向変更板を備えた前部吹出口を、下面中央に上下風向変更板を備えた後部吹出口を夫々設け、これら吸込口と吹出口とを結ぶ空気通路に、同空気通路の中央部から下位部までを前後に区画し、前記前面吸込口及び前記上面前部吸込口と前記前部吹出口とを結ぶ前部空気通路と、前記上面後部吸込口と前記後部吹出口とを結ぶ後部空気通路とを形成する仕切体を設け、前記前部空気通路に前部熱交換器と前部送風ファンとを、前記後部空気通路に後部熱交換器と後部送風ファンとを夫々設ける一方、前記仕切体の上方に、前記前部空気通路と前記後部空気通路とを遮蔽あるいは連通させる開閉体を設けてなり、
除湿運転時、前記開閉体により前記前部空気通路と前記後部空気通路とを連通させる一方、前記上面ルーバにより前記上面後部吸込口を遮蔽し、前記上下風向変更板により前記前部吹出口を遮蔽して、前記前面吸込口及び前記上面前部吸込口から吸込まれた空気が、前記前部熱交換器と前記後部熱交換器とを経て前記後部送風ファンにより前記後部吹出口から室内に送出されるようにする一方、前記前部熱交換器を、吸込まれた空気を冷却してその表面に含有される水分を凝縮させる蒸発器として作動させ、前記後部熱交換器を、冷却された空気を再加熱する凝縮器として作動させてなる構成となっている。
【０００７】
また、前記前部熱交換器の熱交換容量が、前記後部熱交換器の熱交換容量より上回るように設けられた構成となっている。
【０００８】
また、前記開閉体が、上端に設けた軸を中心として上方に回動することにより、前記前部空気通路と前記後部空気通路とを連通させ、下方に回動することにより遮蔽する構成となっている。
【０００９】
また、冷暖房運転時、前記開閉体が、前記前部空気通路と前記後部空気通路とを遮蔽する構成となっている。
【００１０】
更に、冷暖房運転時、前記前部熱交換器と前記前部送風ファンあるいは前記後部熱交換器と前記後部送風ファンのいずれか一方が作動するようにした構成となっている。
【００１１】
【発明の実施の形態】
以下、本発明の実施の形態を、添付図面に基づいた実施例として詳細に説明する。
図１は本発明による空気調和機を示す断面図であり、図２は除湿運転時の空気の流れを示す断面図である。
本発明による空気調和機は、図１で示すように、前面が開放されたベース１に、後面が開放された前面パネル２を装着して本体を構成している。前記前面パネル２の前面上部には複数の横桟による前面吸込口７ａが、上面前部には上面前部吸込口７ｂが夫々形成され、上面後部には複数の上面ルーバ８ａを備えた上面後部吸込口８が形成されている。前記上面ルーバ８ａは後端部を夫々軸支され、上方に回動すると前記上面後部吸込口８は開放され、下方に回動すると閉鎖されるようになっている。本体の下面前部には、複数の上下風向変更板９ａと左右風向変更板９ｂとを備えた前部吹出口９が設けられ、下面中央には複数の上下風向変更板１０ａと左右風向変更板１０ｂとを備えた後部吹出口１０が夫々設けられている。前記上下風向変更板９ａと前記上下風向変更板１０ａとは、回動することにより前記前部吹出口９及び前記後部吹出口１０から吹出される空気を上下方向に偏向する一方、これら吹出口９及び１０を夫々閉鎖できるようになっている。
【００１２】
前記本体の複数の吸込口及び複数の吹出口とを結ぶ空気通路には、同空気通路の中央部から下位部までを前後に区画し、前記前面吸込口７ａ及び前記上面前部吸込口７ｂと前記前部吹出口９とを結ぶ前部空気通路５と、前記上面後部吸込口８と前記後部吹出口１０とを結ぶ後部空気通路６とを形成する仕切体３が設けられている。また、同仕切体３の上方には、前記前部空気通路５と前記後部空気通路６とを遮蔽あるいは連通させる開閉体４が設けられている。同開閉体４は上端に設けた軸４ａにより回動自在に軸支され、上方に回動すると前記前部空気通路５と前記後部空気通路６とを連通させ、下方に回動すると遮蔽するようになっている。
【００１３】
前記前面吸込口７ａ及び前記上面前部吸込口７ｂと前記前部吹出口９とを結ぶ前記前部空気通路５には、垂直部１１ａと、同垂直部１１ａの上端を折曲して後方に傾斜させた後方熱交換器１１ｂとからなる前部熱交換器１１と、同前部熱交換器１１で熱交換された空気を前記前部吹出口９から室内に送出する前部送風ファン１３と、前記前部熱交換器１１から滴下する凝縮水を受ける前部露受皿１５とが夫々設けられ、前記上面後部吸込口８と前記後部吹出口１０とを結ぶ前記後部空気通路６には、後方に傾斜した後部熱交換器１２と、同後部熱交換器１２で熱交換された空気を前記後部吹出口１０から室内に送出する後部送風ファン１４と、前記後部熱交換器から滴下する凝縮水を受ける後部露受皿１６とが設けられている。尚、前記前部熱交換器１１は前記後部熱交換器１２に対し熱交換容量が上回るように設けられており、後述する除湿運転の際、除湿能力を空気を再熱する加熱能力より上回るようにしている。
【００１４】
次に、上記した空気調和機の動作について説明する。通常の冷暖房運転においては、図１で示すように、前記上面ルーバ８が上方に回動して前記上面吸込口８を開放するとともに、前記上下風向変更板９ａと前記上下風向変更板１０ａとが下方に回動して前記前部吹出口９と前記後部吹出口１０とを夫々開放するようになっている。また、前記開閉体４により前記前部空気通路５と前記後部空気通路６とは遮蔽されるようになっている。前記前面吸込口７ａ及び前記上面前部吸込口７ｂとから吸込まれた室内の空気は、前記前部空気通路５に設けられた前記前部熱交換器１１により熱交換され、前記前部送風ファン１３により前記前部吹出口９から室内に送出され、前記上面後部吸込口８から吸込まれた室内の空気は前記後部空気通路６に設けられた前記後部熱交換器１２により熱交換され前記後部送風ファン１４により前記後部吹出口１０から室内に夫々送出されるようになっている。尚、前記上面ルーバ８ａにより前記上面後部吸込口８を閉鎖して、前記前部空気通路５のみで冷暖房運転を行ったり、前記上下風向変更板９ａにより前記前部吹出口９を閉鎖して、前記後部空気通路６のみで冷暖房運転を行えるようにもなっている。
【００１５】
次に、除湿運転時の動作について説明する。除湿運転時、図２で示すように、前記上面ルーバ８が回動して前記上面後部吸込口８が閉鎖されるとともに、前記上下風向変更板９ａにより前記前部吹出口９が閉鎖されるようになっている。また、前記開閉体４が前記軸４ａを中心として上方に回動し、前記前部空気通路５と前記後部空気通路６とを連通させ、また、前記前部熱交換器１１は吸込まれた空気を冷却する蒸発器として、前記後部熱交換器１２は冷却された空気を再加熱する再熱器として作動するようになっている。
【００１６】
前記前面吸込口７ａ及び前記上面前部吸込口７ｂから吸込まれた室内の空気は、図２の矢印で示すように、前記前部熱交換器１１により冷却され、その表面に含有する水分を凝縮させる。続いて前記後部空気通路６に流入し、前記後部熱交換器１２により加熱されて常温の乾燥した空気となって前記後部送風ファン１４により前記後部吹出口１０から再び室内に送出されるようになっている。前記前部熱交換器１１により一旦冷却された空気が、前記後部熱交換器１２を通り一様に加熱されることにより前記後部吹出口１０から温度の均一な、所謂温度ムラのない空気として吹出せるようになっており、これにより除湿運転時、使用者に対し不快感を与えてしまうというような不具合を防止できるようになっている。
【００１７】
【発明の効果】
以上説明したように、本発明によると、本体内を、仕切体により前後に区画し、これの前面に前部熱交換器と前部送風ファンとを備えた前部空気通路を、後面に後部熱交換器と後部送風ファンとを備えた後部空気通路を夫々形成することにより、除湿運転時、前記通風孔に設けられた開閉体を回動させ前記前部空気通路と前記後部空気通路とを連通させることにより、均一な温度の所謂温度ムラのない空気を室内に送出することのできる空気調和機とすることができる。
【図面の簡単な説明】
【図１】本発明による空気調和機を示す断面図である。
【図２】本発明による空気調和機の除湿運転時の状態を示す断面図である。
【図３】従来例による空気調和機を示す断面図である。
【符号の説明】
１  ベース
２  前面パネル
３  仕切体
４  開閉体
４ａ  軸
５  前部空気通路
６  後部空気通路
７ａ  前面吸込口
７ｂ  上面前部吸込口
８  上面後部吸込口
８ａ  上面ルーバ
９  前部吹出口
９ａ  上下風向変更板
９ｂ  左右風向変更板
１０  後部吹出口
１０ａ  上下風向変更板
１０ｂ  左右風向変更板
１１  前部熱交換器
１１ａ  垂直部
１１ｂ  後方傾斜部
１２  後部熱交換器
１３  前部送風ファン
１４  後部送風ファン
１５  前部露受皿
１６  後部露受皿
【図１】
0003804537.tif 000002
【図２】
0003804537.tif 000003
【図３】
0003804537.tif 000004